(57)【要約】  ユーザ装置は、第１のキャリア上で第２のキャリアおよびＭＢＭＳ通知を識別するためのメッセージを受信する第１の受信装置と、そのメッセージによって識別された第２のキャリア上でＲＢ構成メッセージおよびＭＢＭＳスケジュールメッセージを受信する第２の受信装置と、受信されたＲＢ構成メッセージおよびＭＢＭＳスケジュールメッセージに従ってＭＢＭＳスケジュールテンプレートを生成する制御装置とを備え、ＭＢＭＳスケジュールテンプレートに従ってＭＢＭＳデータを受信する第２の受信装置。
2010502054.tif 000002
【特許請求の範囲】
【請求項１】
第１のキャリア上で第２のキャリアを決定するための情報およびマルチメディアブロードキャスト／マルチキャストサービス（ＭＢＭＳ）通知を受信するための第１の受信手段と、
情報から決定された第２のキャリア上で無線ベアラ（ＲＢ）構成情報およびＭＢＭＳスケジューリング情報を受信するための第２の受信手段と、
受信されたＲＢ構成情報およびＭＢＭＳスケジューリング情報に基づいてＭＢＭＳスケジューリングテンプレートを生成するための制御手段とを備え、
第２の受信手段がＭＢＭＳスケジューリングテンプレートに基づいてＭＢＭＳデータを受信する、
ユーザ装置（ＵＥ）。
【請求項２】
第２の受信手段が第２のキャリア上でＭＢＭＳデータを受信しているときにＵＥに対する非ＭＢＭＳサービスに関するページングが受信された場合、制御手段が非ＭＢＭＳサービスおよびＭＢＭＳサービスに関する優先順位づけを実行し、非ＭＢＭＳサービスがより高い優先順位のものであることが決定された場合、制御手段が第１の受信手段を用いて第１のキャリア上で非ＭＢＭＳサービスを開始し、非ＭＢＭＳサービスが完了した場合、第２の受信手段が第２のキャリア上でＭＢＭＳデータを受信し続ける、請求項１に記載のＵＥ。
【請求項３】
ＭＢＭＳサービスがより高い優先順位のものであることが決定された場合、第２の受信手段がＭＢＭＳデータを受信し続ける、請求項２に記載のＵＥ。
【請求項４】
第２の受信手段が第２のキャリア上でＭＢＭＳデータを受信しているときに非ＭＢＭＳサービスを開始する命令が受信された場合、制御手段が非ＭＢＭＳサービスおよびＭＢＭＳサービスに関する優先順次づけを実行し、非ＭＢＭＳサービスがより高い優先順位のものであることが決定された場合、制御手段が第１の受信手段を用いて第１のキャリア上で非ＭＢＭＳサービスを開始し、非ＭＢＭＳサービスが完了した場合、第２の受信手段が第２のキャリア上でＭＢＭＳデータを受信し続ける、請求項１に記載のＵＥ。
【請求項５】
ＭＢＭＳサービスがより高い優先順位のものであることが決定された場合、第２の受信手段がＭＢＭＳデータを受信し続ける、請求項４に記載のＵＥ。
【請求項６】
第１のキャリアが非ＭＢＭＳキャリアであり、第２のキャリアがＭＢＭＳ専用キャリアである、請求項１から５のいずれか一項に記載のＵＥ。
【請求項７】
第１のキャリア上で第２のキャリアを決定するための情報およびマルチメディアブロードキャスト／マルチキャストサービス（ＭＢＭＳ）通知を受信し、第２のキャリア上で無線ベアラ（ＲＢ）構成情報およびＭＢＭＳスケジューリング情報を受信するための受信手段と、
受信されたＲＢ構成情報およびＭＢＭＳスケジューリング情報に基づいてＭＢＭＳスケジューリングテンプレートを生成するための制御手段とを備え、
受信手段がＭＢＭＳスケジューリングテンプレートに基づいて、第２のキャリア上でだけＭＢＭＳデータを受信する、
ユーザ装置（ＵＥ）。
【請求項８】
ユーザ装置（ＵＥ）向けのデータを受信する方法であって、
第１のキャリア上で第２のキャリアを決定するための情報およびマルチメディアブロードキャスト／マルチキャストサービス（ＭＢＭＳ）通知を受信するステップと、
ＭＢＭＳスケジューリングテンプレートを生成するために、情報から決定された第２のキャリア上で無線ベアラ（ＲＢ）構成情報およびＭＢＭＳスケジューリング情報を受信するステップと、
ＭＢＭＳスケジューリングテンプレートに基づいて、第２のキャリア上でだけＭＢＭＳデータを受信するステップとを備える、方法。
【請求項９】
第１のキャリア上でＭＢＭＳ告知を受信するステップと、
第１のキャリア上で関心があるＭＢＭＳグループに参加するステップと
をさらに備える、請求項８に記載の方法。
【請求項１０】
第１のキャリア上でＭＢＭＳカウント要求を受信する場合、ＭＢＭＳカウント応答を返すステップ
をさらに備える、請求項８に記載の方法。
【請求項１１】
第２のキャリア上でＭＢＭＳデータを受信する際にＵＥに対する非ＭＢＭＳサービスに関するページングを受信する場合、非ＭＢＭＳサービスおよびＭＢＭＳサービスに関する優先順位づけを実行するステップと、
非ＭＢＭＳサービスがより高い優先順位のものであることが決定された場合、第１のキャリア上で非ＭＢＭＳサービスを開始するステップと、
非ＭＢＭＳサービスが完了した場合、第２のキャリア上でＭＢＭＳデータを受信し続けるステップと
をさらに備える、請求項８に記載の方法。
【請求項１２】
ＭＢＭＳサービスがより高い優先順位のものであることが決定された場合、ＭＢＭＳデータを受信し続けるステップ
をさらに備える、請求項１１に記載の方法。
【請求項１３】
第２のキャリア上でＭＢＭＳデータを受信する際に非ＭＢＭＳサービスを開始する命令を受信した場合、非ＭＢＭＳサービスおよびＭＢＭＳサービスに関する優先順位づけを実行するステップと、
非ＭＢＭＳサービスがより優先順位の高いものであることが決定された場合、第１のキャリア上で非ＭＢＭＳサービスを開始するステップと、
非ＭＢＭＳサービスが完了した場合、第２のキャリア上でＭＢＭＳデータを受信し続けるステップと
をさらに備える、請求項８に記載の方法。
【請求項１４】
ＭＢＭＳサービスがより優先順位の高いものであることが決定された場合、ＭＢＭＳデータを受信し続けるステップ
をさらに備える、請求項１３に記載の方法。
【請求項１５】
第１のキャリアが非ＭＢＭＳキャリアであり、第２のキャリアがＭＢＭＳ専用キャリアである、請求項８から１４のいずれか一項に記載の方法。
【請求項１６】
第１のキャリア上で第２のキャリアを決定するための情報を受信するための第１の受信手段と、
第２のキャリア上でマルチメディアブロードキャスト／マルチキャストサービス（ＭＢＭＳ）通知、無線ベアラ（ＲＢ）構成情報およびＭＢＭＳスケジューリング情報を受信するための第２の受信手段と、
受信されたＲＢ構成情報およびＭＢＭＳスケジューリング情報に基づいてＭＢＭＳスケジューリングテンプレートを生成するための制御手段とを備え、
第２の受信手段がＭＢＭＳスケジューリングテンプレートに基づいてＭＢＭＳデータを受信する、
ユーザ装置（ＵＥ）。
【請求項１７】
第２の受信手段が第２のキャリア上でＭＢＭＳデータを受信しているときにＵＥに対する非ＭＢＭＳサービスに関するページングが受信された場合、制御手段が非ＭＢＭＳサービスおよびＭＢＭＳサービスに関する優先順位づけを実行し、非ＭＢＭＳサービスがより高い優先順位のものであることが決定された場合、制御手段が第１の受信手段を用いて第１のキャリア上で非ＭＢＭＳサービスを開始し、非ＭＢＭＳサービスが完了した場合、第２の受信手段が第２のキャリア上でＭＢＭＳデータを受信し続ける、請求項１６に記載のＵＥ。
【請求項１８】
ＭＢＭＳサービスがより高い優先順位のものであることが決定された場合、第２の受信手段がＭＢＭＳデータを受信し続ける、請求項１７に記載のＵＥ。
【請求項１９】
第２の受信手段が第２のキャリア上でＭＢＭＳデータを受信しているときに非ＭＢＭＳサービスを開始する命令が受信された場合、制御手段が非ＭＢＭＳサービスおよびＭＢＭＳサービスに関する優先順次づけを実行し、非ＭＢＭＳサービスがより高い優先順位のものであることが決定された場合、制御手段が第１の受信手段を用いて第１のキャリア上で非ＭＢＭＳサービスを開始し、非ＭＢＭＳサービスが完了した場合、第２の受信手段が第２のキャリア上でＭＢＭＳデータを受信し続ける、請求項１６に記載のＵＥ。
【請求項２０】
ＭＢＭＳサービスがより高い優先順位のものであることが決定された場合、第２の受信手段がＭＢＭＳデータを受信し続ける、請求項１９に記載のＵＥ。
【請求項２１】
第１のキャリアが非ＭＢＭＳキャリアであり、第２のキャリアがＭＢＭＳ専用キャリアである、請求項１６から２０のいずれか一項に記載のＵＥ。
【請求項２２】
第１のキャリア上で第２のキャリアを決定するための情報を受信し、第２のキャリア上でマルチメディアブロードキャスト／マルチキャストサービス（ＭＢＭＳ）通知、無線ベアラ（ＲＢ）構成情報およびＭＢＭＳスケジューリング情報を受信するための受信手段と、
受信されたＲＢ構成情報およびＭＢＭＳスケジューリング情報に基づいてＭＢＭＳスケジューリングテンプレートを生成するための制御手段とを備え、
受信手段がＭＢＭＳスケジューリングテンプレートに基づいて、第２のキャリア上でだけＭＢＭＳデータを受信する、
ユーザ装置（ＵＥ）。
【請求項２３】
ユーザ装置（ＵＥ）向けのデータを受信する方法であって、
第１のキャリア上で第２のキャリアを決定するための情報を受信するステップと、
ＭＢＭＳスケジューリングテンプレートを生成するために、情報から決定された第２のキャリア上でマルチメディアブロードキャスト／マルチキャストサービス（ＭＢＭＳ）通知、無線ベアラ（ＲＢ）構成情報およびＭＢＭＳスケジューリング情報を受信するステップと、
ＭＢＭＳスケジューリングテンプレートに基づいて、第２のキャリア上でだけＭＢＭＳデータを受信するステップとを備える、方法。
【請求項２４】
第１のキャリア上でＭＢＭＳ告知を受信するステップと、
第１のキャリア上で関心があるＭＢＭＳグループに参加するステップと
をさらに備える、請求項２３に記載の方法。
【請求項２５】
第１のキャリア上でＭＢＭＳカウント要求を受信する場合、ＭＢＭＳカウント応答を返すステップ
をさらに備える、請求項２３に記載の方法。
【請求項２６】
第２のキャリア上でＭＢＭＳデータを受信する際にＵＥに対する非ＭＢＭＳサービスに関するページングを受信する場合、非ＭＢＭＳサービスおよびＭＢＭＳサービスに関する優先順位づけを実行するステップと、
非ＭＢＭＳサービスがより高い優先順位のものであることが決定された場合、第１のキャリア上で非ＭＢＭＳサービスを開始するステップと、
非ＭＢＭＳサービスが完了した場合、第２のキャリア上でＭＢＭＳデータを受信し続けるステップと
をさらに備える、請求項２３に記載の方法。
【請求項２７】
ＭＢＭＳサービスがより高い優先順位のものであることが決定された場合、ＭＢＭＳデータを受信し続けるステップ
をさらに備える、請求項２６に記載の方法。
【請求項２８】
第２のキャリア上でＭＢＭＳデータを受信する際に非ＭＢＭＳサービスを開始する命令を受信した場合、非ＭＢＭＳサービスおよびＭＢＭＳサービスに関する優先順位づけを実行するステップと、
非ＭＢＭＳサービスがより優先順位の高いものであることが決定された場合、第１のキャリア上で非ＭＢＭＳサービスを開始するステップと、
非ＭＢＭＳサービスが完了した場合、第２のキャリア上でＭＢＭＳデータを受信し続けるステップと
をさらに備える、請求項２３に記載の方法。
【請求項２９】
ＭＢＭＳサービスがより優先順位の高いものであることが決定された場合、ＭＢＭＳデータを受信し続けるステップ
をさらに備える、請求項２８に記載の方法。
【請求項３０】
第１のキャリアが非ＭＢＭＳキャリアであり、第２のキャリアがＭＢＭＳ専用キャリアである、請求項２３から２９のいずれか一項に記載の方法。
【請求項３１】
第１のキャリア上で第２のキャリアを決定するための情報およびマルチメディアブロードキャスト／マルチキャストサービス（ＭＢＭＳ）通知を送信するための第１の送信手段と、
第２のキャリア上でＭＢＭＳ通知、無線ベアラ（ＲＢ）構成情報およびＭＢＭＳスケジューリング情報を送信するための第２の送信手段とを備え、
第２の送信手段がＲＢ構成情報およびＭＢＭＳスケジューリング情報に基づいてＭＢＭＳデータを送信する、
基地局。
【請求項３２】
ＭＢＭＳデータを受信しているユーザ装置（ＵＥ）に対する呼が第２の送信手段が第２のキャリア上でＭＢＭＳデータを送信しているときに行われた場合、第１の送信手段だけが第１のキャリア上でＵＥに対するページングを送信する、請求項３１に記載の基地局。
【請求項３３】
ＭＢＭＳデータを受信しているユーザ装置（ＵＥ）に対する呼が第２の送信手段が第２のキャリア上でＭＢＭＳデータを送信しているときに行われた場合、第１の送信手段および第２の送信手段が、それぞれ、第１のキャリア上および第２のキャリア上でＵＥに対するページングを送信する、請求項３１に記載の基地局。
【請求項３４】
第１のキャリアが非ＭＢＭＳキャリアであり、第２のキャリアがＭＢＭＳ専用キャリアである、請求項３１から３３のいずれか一項に記載の基地局。
【請求項３５】
第１のキャリア上で第２のキャリアを決定するための情報およびマルチメディアブロードキャスト／マルチキャストサービス（ＭＢＭＳ）通知を送信し、第２のキャリア上でＭＢＭＳ通知、無線ベアラ（ＲＢ）構成情報およびＭＢＭＳスケジューリング情報を送信する送信手段とを備え、
送信手段が、ＲＢ構成情報およびＭＢＭＳスケジューリング情報に基づいて、第２のキャリア上でだけＭＢＭＳデータを送信する、
基地局。
【請求項３６】
基地局向けのデータを送信する方法であって、
第１のキャリア上で第２のキャリアを決定するための情報およびマルチメディアブロードキャスト／マルチキャストサービス（ＭＢＭＳ）通知を送信するステップと、
第２のキャリア上でＭＢＭＳ通知、無線ベアラ（ＲＢ）構成情報およびＭＢＭＳスケジューリング情報を送信するステップと、
ＲＢ構成情報およびＭＢＭＳスケジューリング情報に基づいて、第２のキャリア上でだけＭＢＭＳデータを送信するステップとを備える、方法。
【請求項３７】
第１のキャリア上でＭＢＭＳ告知を送信するステップ
をさらに備える、請求項３６に記載の方法。
【請求項３８】
第１のキャリア上でＭＢＭＳカウント要求を送信するステップ
をさらに備える、請求項３６に記載の方法。
【請求項３９】
ＭＢＭＳデータを受信しているユーザ装置（ＵＥ）に対する呼がＭＢＭＳデータが第２のキャリア上で送信されているときに行われた場合、ＵＥに対するページングが第１のキャリア上でだけ送信される、請求項３６に記載の方法。
【請求項４０】
ＭＢＭＳデータを受信しているユーザ装置（ＵＥ）に対する呼がＭＢＭＳデータが第２のキャリア上で送信されているときに行われた場合、ＵＥに対するページングが第１のキャリア上および第２のキャリア上で送信される、請求項３６に記載の方法。
【請求項４１】
第１のキャリアが非ＭＢＭＳキャリアであり、第２のキャリアがＭＢＭＳ専用キャリアである、請求項３６から４０のいずれか一項に記載の方法。
【請求項４２】
マルチメディアブロードキャスト／マルチキャストサービス（ＭＢＭＳ）カウント要求をユーザ装置（ＵＥ）に送信するための送信手段と、
それぞれのＵＥからＭＢＭＳカウント要求に対するそれぞれのＭＢＭＳカウント応答を受信するための受信手段と、
受信されたＭＢＭＳカウント応答に基づいてＭＢＭＳカウント結果を生成するためのカウント結果生成手段と、
ＭＢＭＳカウント結果に基づいて、対応するＲＢを確立するための無線ベアラ（ＲＢ）確立手段と
を備える、基地局。
【請求項４３】
カウント結果がＭＢＭＳサービスが送信されることに関心があるＵＥの数が０より大きいことを表示する場合、対応するＲＢが確立される、請求項４２に記載の基地局。
【請求項４４】
カウント結果がＭＢＭＳサービスが送信されることに関心があるＵＥの数が所定のしきい値より小さいことを表示する場合、ポイントツーポイントＲＢが確立され、カウント結果がＭＢＭＳサービスが送信されることに関心があるＵＥの数が所定のしきい値より大きいことを表示する場合、ポイントツーマルチポイントＲＢが確立される、請求項４３に記載の基地局。
【請求項４５】
基地局向けの無線ベアラ（ＲＢ）を確立する方法であって、
マルチメディアブロードキャスト／マルチキャストサービス（ＭＢＭＳ）カウント要求をユーザ装置（ＵＥ）送信するステップと、
それぞれのＵＥからＭＢＭＳカウント要求に対するそれぞれのＭＢＭＳカウント応答を受信して、ＭＢＭＳカウント結果を生成するステップと、
ＭＢＭＳカウント結果に基づいて、対応するＲＢを確立するステップとを備える、方法。
【請求項４６】
カウント結果がＭＢＭＳサービスが送信されることに関心があるＵＥの数が０より大きいことを表示する場合、対応するＲＢが確立される、請求項４５に記載の方法。
【請求項４７】
カウント結果がＭＢＭＳサービスが送信されることに関心があるＵＥの数が所定のしきい値より小さいことを表示する場合、ポイントツーポイントＲＢが確立され、カウント結果がＭＢＭＳサービスが送信されることに関心があるＵＥの数がしきい値より大きいことを表示する場合、ポイントツーマルチポイントＲＢが確立される、請求項４６に記載の基地局。
【発明の詳細な説明】
【技術分野】
【０００１】
本発明は、移動体通信フィールド、特に、３Ｇ移動体通信フィールドにおける長期的エボリューション（Ｌｏｎｇ  Ｔｅｒｍ  Ｅｖｏｌｕｔｉｏｎ）（ＬＴＥ）に関し、より詳細には、進化型マルチメディアブロードキャスト／マルチキャストサービス（ＥＭＢＭＳ）専用キャリアをサポートする基地局（ｅＮＢ）、ユーザ装置（ＵＥ）およびそれらの方法に関する。
【背景技術】
【０００２】
マルチメディアブロードキャスト／マルチキャストサービス（ＭＢＭＳ）は、３ＧＰＰ  Ｒ６の新しい機能であり、直交周波数分割多重方式（ＯＦＤＭ）に基づく３ＧＰＰ長期的エボリューション（ＬＴＥ）システムにおける重要な機能でもある。マルチメディアブロードキャスト／マルチキャストサービス（ＭＢＭＳ）は、ＬＴＥにおいてＥ−ＭＢＭＳ（進化型ＭＢＭＳ）と呼ばれ、本発明において、通常、ＭＢＭＳと呼ばれる。
【０００３】
将来の移動体ネットワーク計画において、ＭＢＭＳサービスは大量の無線リソースを占有することになるため、ＭＢＭＳが無線リソースを節約するために専用キャリアを使用することは一般的である。これは、非ＭＢＭＳサービスではなくＭＢＭＳサービスだけが、ＭＢＭＳ専用キャリア上でサポートされることになることを意味する。
【０００４】
３ＧＰＰ  Ｒ６において専用キャリア方式は存在しない。ＭＢＭＳサービスの開始に先立って、ＵＴＲＡＮ（ユニバーサル地上無線アクセスネットワーク）は、ＭＢＭＳサービスに関心があるＵＥ（ユーザ装置）がＭＢＭＳ専用キャリアを再選択することになるようにＦＬＣ（周波数層収束（Ｆｒｅｑｕｅｎｃｙ  Ｌａｙｅｒ  Ｃｏｎｖｅｒｇｅｎｃｅ））技術を導入する。ＭＢＭＳサービスが完了した後で、ネットワークが周波数層分散の命令情報を送信して、ＵＥがその命令情報に基づいて、別のキャリア（すなわち、非ＭＢＭＳサービスをサポートする通常のキャリア）に分散するように、ＵＴＲＡＮはＦＬＤ（周波数層分散（Ｆｒｅｑｕｅｎｃｙ  Ｌａｙｅｒ  Ｄｉｓｐｅｒｓｉｏｎ））技術を導入する。図１Ｂに示されるように、（１）ＵＥは、当初、通常のキャリア１上にキャンプし（ｃａｍｐ）、ＲＮＣは、ＭＢＭＳサービスの開始後に、ＵＥに対するＦＬＣ命令を発行し、（２）ＵＥはＭＢＭＳサービスを受信するためにＭＢＭＳサービスが位置するキャリア２を選択し、（３）ＭＢＭＳサービスが完了した後で、ＲＮＣはキャリア２上でＵＥに対するＦＬＤ命令を発行し、（４）ＵＥはキャリア１を再選択する。
【０００５】
既存のプロトコルの技術に基づいて、ＭＢＭＳサービスはあるキャリア上に収束し得る。しかし、いくつかの問題が存在する。非ＭＢＭＳサービスが開始されるとした場合、１つの方式は、そのサービスが位置領域更新およびショートメッセージの受信または送信など、いくつかの簡単な動作である場合でも、サービスを提供するために非ＭＢＭＳキャリアを再選択することである。この方式では、ＭＢＭＳデータは失われる可能性が高い。もう１つの方式は、ＭＢＭＳが位置するキャリア上にサービスを提供することである。ＭＢＭＳが位置するキャリアの容量は制限されるため、これは限定された非ＭＢＭＳサービスだけが提供され得るという欠点を有する。さらに、ダウンリンク伝送電力が増大される場合でも、このキャリアの収束領域はあまり広くない可能性がある。これは、ＵＥのアップリンク伝送電力が制限されているためである。したがって、この方式は大きなセルをサポートすることができない。加えて、ＭＢＭＳサービスおよび非ＭＢＭＳサービスはこのキャリア上で混合して送信される。
【０００６】
さらに、既存のプロトコルでは、（図１Ａに示されるように）キャリアはアップリンクおよびダウンリンクのために対で割り当てられる。しかし、ＭＢＭＳサービスはダウンリンクデータ伝送だけを必要とする。すなわち、アップリンクキャリアは無駄になる。
【０００７】
したがって、かかる技術は以下の欠点を有する。
（１）ＭＢＭＳサービスおよび非ＭＢＭＳサービスはいわゆる専用キャリア上で混合するため、アップリンクは限定され、したがって、ダウンリンク伝送電力が増大される場合でも、このキャリアの受信可能範囲領域はあまり広くない。
（２）異なるキャリア間の切替えおよび再選択は複雑である。
（３）キャリアを対で使用する必要がある。
【発明の概要】
【発明が解決しようとする課題】
【０００８】
したがって、システムアーキテクチャを簡素化し、ＭＢＭＳパフォーマンス要件を満たすことを可能にするＥＭＢＭＳ専用キャリアをサポートするシステムおよび方法の必要性が存在する。さらに、ＭＢＭＳは専用キャリアを使用する。結果として、ＭＢＭＳサービスを運ぶキャリアはより高い伝送電力を使用することが可能であり、したがって、ネットワークのより低い配備費用につながるより大きな受信可能範囲を有する。
【０００９】
本発明の目的は、システムアーキテクチャを簡素化し、ＭＢＭＳパフォーマンス要件を満たすことを可能にする進化型マルチメディアブロードキャスト／マルチキャストサービス（ＥＭＢＭＳ）専用キャリアをサポートするシステムおよび方法を提供することである。さらに、ＭＢＭＳは専用キャリアを使用する。結果として、ＭＢＭＳサービスを運ぶキャリアはより高い伝送電力を使用することが可能であり、したがって、ネットワークのより低い配備費用につながるより大きな受信可能範囲を有する。
【課題を解決するための手段】
【００１０】
本発明の第１の態様によれば、第１のキャリア上で第２のキャリアを決定するための情報およびマルチメディアブロードキャスト／マルチキャストサービス（ＭＢＭＳ）通知を受信するための第１の受信手段と、その情報から決定された第２のキャリア上で無線ベアラ（ＲＢ）構成情報およびＭＢＭＳスケジューリング情報を受信するための第２の受信手段と、受信されたＲＢ構成情報およびＭＢＭＳスケジューリング情報に基づいてＭＢＭＳスケジューリングテンプレートを生成するための制御手段とを備え、第２の受信手段がＭＢＭＳスケジューリングテンプレートに基づいてＭＢＭＳデータを受信するユーザ装置（ＵＥ）が提供される。
【００１１】
本発明の第２の態様によれば、第１のキャリア上で第２のキャリアを決定するための情報およびマルチメディアブロードキャスト／マルチキャストサービス（ＭＢＭＳ）通知を受信し、第２のキャリア上で無線ベアラ（ＲＢ）構成情報およびＭＢＭＳスケジューリング情報を受信するための受信手段と、受信されたＲＢ構成情報およびＭＢＭＳスケジューリング情報に基づいてＭＢＭＳスケジューリングテンプレートを生成するための制御手段とを備え、当該受信手段がＭＢＭＳスケジューリングテンプレートに基づいて、第２のキャリア上でだけＭＢＭＳデータを受信するユーザ装置（ＵＥ）が提供される。
【００１２】
本発明の第３の態様によれば、第１のキャリア上で第２のキャリアを決定するための情報およびマルチメディアブロードキャスト／マルチキャストサービス（ＭＢＭＳ）通知を受信するステップと、ＭＢＭＳスケジューリングテンプレートを生成するために、その情報から決定された第２のキャリア上で無線ベアラ（ＲＢ）構成情報およびＭＢＭＳスケジューリング情報を受信するステップと、ＭＢＭＳスケジューリングテンプレートに基づいて、第２のキャリア上でだけＭＢＭＳデータを受信するステップとを備える、ユーザ装置（ＵＥ）向けのデータを受信する方法が提供される。
【００１３】
本発明の第４の態様によれば、第１のキャリア上で第２のキャリアを決定するための情報を受信するための第１の受信手段と、第２のキャリア上でマルチメディアブロードキャスト／マルチキャストサービス（ＭＢＭＳ）通知、無線ベアラ（ＲＢ）構成情報およびＭＢＭＳスケジューリング情報を受信するための第２の受信手段と、受信されたＲＢ構成情報およびＭＢＭＳスケジューリング情報に基づいてＭＢＭＳスケジューリングテンプレートを生成するための制御手段とを備え、第２の受信手段がＭＢＭＳスケジューリングテンプレートに基づいてＭＢＭＳデータを受信するユーザ装置（ＵＥ）が提供される。
【００１４】
本発明の第５の態様によれば、第１のキャリア上で第２のキャリアを決定するための情報を受信し、第２のキャリア上でマルチメディアブロードキャスト／マルチキャストサービス（ＭＢＭＳ）通知、無線ベアラ（ＲＢ）構成情報およびＭＢＭＳスケジューリング情報を受信するための受信手段と、受信されたＲＢ構成情報およびＭＢＭＳスケジューリング情報に基づいてＭＢＭＳスケジューリングテンプレートを生成するための制御手段とを備え、当該受信手段がＭＢＭＳスケジューリングテンプレートに基づいて、第２のキャリア上でだけＭＢＭＳデータを受信するユーザ装置（ＵＥ）が提供される。
【００１５】
本発明の第６の態様によれば、第１のキャリア上で第２のキャリアを決定するための情報を受信するステップと、ＭＢＭＳスケジューリングテンプレートを生成するために、その情報から決定された第２のキャリア上でマルチメディアブロードキャスト／マルチキャストサービス（ＭＢＭＳ）通知、無線ベアラ（ＲＢ）構成情報およびＭＢＭＳスケジューリング情報を受信するステップと、ＭＢＭＳスケジューリングテンプレートに基づいて、第２のキャリア上でだけＭＢＭＳデータを受信するステップとを備える、ユーザ装置（ＵＥ）向けのデータを受信する方法が提供される。
【００１６】
本発明の第７の態様によれば、第１のキャリア上で第２のキャリアを決定するための情報およびマルチメディアブロードキャスト／マルチキャストサービス（ＭＢＭＳ）通知を送信するための第１の送信手段と、第２のキャリア上でＭＢＭＳ通知、無線ベアラ（ＲＢ）構成情報およびＭＢＭＳスケジューリング情報を送信するための第２の送信手段とを備え、第２の送信手段がＲＢ構成情報およびＭＢＭＳスケジューリング情報に基づいてＭＢＭＳデータを送信する基地局が提供される。
【００１７】
本発明の第８の態様によれば、第１のキャリア上で第２のキャリアを決定するための情報およびマルチメディアブロードキャスト／マルチキャストサービス（ＭＢＭＳ）通知を送信し、第２のキャリア上でＭＢＭＳ通知、無線ベアラ（ＲＢ）構成情報およびＭＢＭＳスケジューリング情報を送信するための送信手段を備え、当該送信手段がＲＢ構成情報およびＭＢＭＳスケジューリング情報に基づいて、第２のキャリア上でだけＭＢＭＳデータを送信する基地局が提供される。
【００１８】
本発明の第９の態様によれば、第１のキャリア上で第２のキャリアを決定するための情報およびマルチメディアブロードキャスト／マルチキャストサービス（ＭＢＭＳ）通知を送信するステップと、第２のキャリア上でＭＢＭＳ通知、無線ベアラ（ＲＢ）構成情報およびＭＢＭＳスケジューリング情報を送信するステップと、ＲＢ構成情報およびＭＢＭＳスケジューリング情報に基づいて、第２のキャリア上でだけＭＢＭＳデータを送信するステップとを備える、基地局向けのデータを送信する方法が提供される。
【００１９】
本発明の第１０の態様によれば、マルチメディアブロードキャスト／マルチキャストサービス（ＭＢＭＳ）カウント要求をユーザ装置（ＵＥ）に送信するための送信手段と、それぞれのＵＥからＭＢＭＳカウント要求に対するそれぞれのＭＢＭＳカウント応答を受信するための受信手段と、受信されたＭＢＭＳカウント応答に基づいてＭＢＭＳカウント結果を生成するためのカウント結果生成手段と、ＭＢＭＳカウント結果に基づいて、対応するＲＢを確立するための無線ベアラ（ＲＢ）確立手段とを備える基地局が提供される。
【００２０】
本発明の第１１の態様によれば、マルチメディアブロードキャスト／マルチキャストサービス（ＭＢＭＳ）カウント要求をユーザ装置（ＵＥ）に送信するステップと、それぞれのＵＥからＭＢＭＳカウント要求に対するそれぞれのＭＢＭＳカウント応答を受信するステップと、ＭＢＭＳカウント結果を生成するステップと、ＭＢＭＳカウント結果に基づいて、対応するＲＢを確立するステップとを備える、基地局向けの無線ベアラ（ＲＢ）を確立する方法が提供される。
【００２１】
本発明の好ましい実施形態は、添付の図面を参照して以降で詳細に説明される。
【図面の簡単な説明】
【００２２】
【図１Ａ】先行技術における対をなしたアップリンクキャリアおよびダウンリンクキャリアを示す概略図である。
【図１Ｂ】先行技術におけるＦＬＣ／ＦＬＤに基づく専用キャリア方式を説明する概略図である。
【図２Ａ】ＭＢＭＳサービスを運ぶための非対のダウンリンクキャリアを示す概略図である。
【図２Ｂ】ＬＴＥアーキテクチャに基づくＭＢＭＳネットワーク構造を示す概略図である。
【図３Ａ】本発明によるＭＢＭＳ専用キャリアをサポートするネットワーク構造を示す概略図である。
【図３Ｂ】ＭＢＭＳマルチキャストサービスの段階の流れを示す時間系列表である。
【図３Ｃ】ＭＢＭＳブロードキャストサービスの段階の流れを示す時間系列表である。
【図４Ａ】本発明によるＭＢＭＳセッション開始の手順を示す時間系列表である。
【図４Ｂ】図４Ａに示されるカウント手順Ｓ４０３および無線ベアラ確立手順Ｓ４０４と、図３Ｂならびに３Ｃに示されるＭＢＭＳ通知手順Ｓ３１０、Ｓ３５６およびデータ転送手順Ｓ３１２、Ｓ３５８とを示す図である。
【図４Ｃ】本発明によるＭＢＭＳセッション停止手順を示す時間系列表である。
【図５Ａ】本発明によるＵＥを示す構造ブロック図である。
【図５Ｂ】本発明によるＵＥを示す構造ブロック図である。
【図５Ｃ】本発明によるＵＥの動作を示す流れ図である。
【図５Ｄ】ＵＥによるＭＢＭＳ専用キャリアと非ＭＢＭＳキャリアの間の切替えを説明する概略図である。
【図６】ＭＢＭＳサービススケジューリングの例を示す図である。
【図７】本発明による進化型基地局ｅＮＢを示す構造ブロック図である。
【図８】本発明による進化型基地局ｅＮＢによるカウントおよびＲＢ確立の動作を示す流れ図である。
【図９】本発明のもう１つの実施形態による非ＭＢＭＳキャリアを説明する概略図である。
【発明を実施するための形態】
【００２３】
以降で、図を参照して本発明の実施形態が説明される。実施形態は本発明の限定ではなく、解説の目的でだけ提供される点に留意されたい。本明細書で提供される様々な数値は本発明を限定することが意図されず、要求に応じて当業者によって修正されることが可能である。
【００２４】
本発明において、ＭＢＭＳサービスを運ぶ専用キャリアは、アップリンク周波数帯域を使用せずに、非対のダウンリンク周波数帯域だけを使用する。したがって、ダウンリンク伝送電力を増大することによってＭＢＭＳサービスの受信可能範囲を増大することが可能である。
【００２５】
さらに、本発明において、ＵＥは元の非ＭＢＭＳキャリア上にキャンプする。
【００２６】
図２Ａは、ＭＢＭＳサービスを運ぶための非対のダウンリンクキャリアを示す。
【００２７】
本発明において、図２Ａに示されるように、ＭＢＭＳサービスを運ぶ専用キャリアは、アップリンク周波数帯域を使用せずに、非対のダウンリンク周波数帯域だけを使用する。ＵＥの伝送電力は制限されるため、ダウンリンク伝送電力を増大することによってＭＢＭＳサービスの受信可能範囲を増大することが可能である。
【００２８】
図２Ｂは、ＬＴＥアーキテクチャに基づくＭＢＭＳネットワーク構造を示す概略図である。ＭＢＭＳをサポートするネットワーク要素は、主に、ＢＭ−ＳＣ（ブロードキャスト／マルチキャストサービスセンター）と、ａＧＷ（アクセスゲートウェイ）と、ｅＮＢ（進化型基地局）と、ＵＥ（ユーザ装置）とを備える。ＢＭ−ＳＣはコンテンツプロバイダのための入口であり、ＰＬＭＮにおいて許可を出して、サービスを運ぶＭＢＭＳを開始し、所定のスケジュールに基づいてＭＢＭＳデータを送信するように構成される。ａＧＷはユーザ向けのサービスを運ぶＭＢＭＳに関する制御を実行して、ＭＢＭＳデータをＵＴＲＡＮに送信するように構成される。ｅＮＢは、ＭＢＭＳデータを指定されたＭＢＭＳサービス領域のエアインターフェースに効率的に送信する責任を有する。
【００２９】
図３Ａは、本発明によるＭＢＭＳ専用キャリアをサポートするネットワーク構造を示す概略図である。
【００３０】
図３Ａに示されるように、ＭＢＭＳ専用キャリアはセル１内に導入され、非ＭＢＭＳキャリアはセル２、３および４内に導入される。セル１および３は、１つの同じ基地局ｅＮＢ２によって管理されることが可能であり、またはそれぞれ個別のｅＮＢ（例えば、ｅＮＢ１およびｅＮＢ２）によって管理されることも可能である。ａＧＷとｅＮＢの間のインターフェースはＳ１インターフェースと呼ばれ、ｅＮＢ間のインターフェースはＸ２インターフェースと呼ばれる。
【００３１】
図３Ｂは、（３ＧＰＰ  ＴＳ２３．２４６を指す）ＭＢＭＳマルチキャストサービスの段階の流れを示す時間系列表である。
【００３２】
加入のステップＳ３０２。ユーザが関連するＭＢＭＳマルチキャストサービスを受信することを可能にするためにユーザとサービスプロバイダの間の関係を確立する。
【００３３】
サービス告知のステップＳ３０４。関連するサービスのユーザ情報、（ＩＰマルチキャストアドレスなど）サービス有効化のためのパラメータ、（サービス開始時間など）その他の関連するパラメータを配信する。
【００３４】
参加のステップＳ３０６。加入者がマルチキャストグループに参加する手順。
【００３５】
セッション開始のステップＳ３０８。その間、ＭＢＭＳデータを送信するために必要なベアラが一連のシグナリング交換を介してネットワーク内で確立され、その間、ベアラを確立するかどうかおよびどのタイプのベアラが確立されるべきかを決定できるようにデータを受信するためにユーザの数をカウントすることが要求され得る、ＢＭ−ＳＣがＭＢＭＳデータを送信する準備を行う手順。
【００３６】
ＭＢＭＳ通知のステップＳ３１０。ＭＢＭＳマルチキャストデータが送信されることをＵＥに通知する。
【００３７】
データ転送のステップＳ３１２。ＭＢＭＳデータをＵＥに送信する。
【００３８】
セッション停止のステップＳ３１４。ＭＢＭＳデータの転送が完了されるとした場合、ＢＭ−ＳＣはネットワーク内でリソースを運ぶサービスを解放するためにセッション停止手順を開始する。
【００３９】
退去のステップＳ３１６。このユーザがある種のＭＢＭＳサービスを受信しないことになるように、加入者があるマルチキャストグループを退去手順。
【００４０】
上記の手順の中で、ステップＳ３０２、Ｓ３０６およびＳ３１６は、ポイントツーポイント方式でＵＥおよびＢＭ−ＳＣによって行われ、非ＭＢＭＳキャリア上でだけ行われ得る。ステップＳ３０４は、ポイントツーポイント方式でＢＭ−ＳＣによって関連するＵＥに対して開始されることが可能であり、非ＭＢＭＳキャリア上で行われ得る。また、この手順はブロードキャスト方式またはマルチキャスト方式で行われることも可能であり、したがって、ＭＢＭＳ専用キャリア上で行われ得る。ステップＳ３０２−Ｓ３０６およびＳ３１６は本発明と関係がなく、したがって、その詳細な説明は本明細書において省略される。以下の説明において、ステップＳ３０８−Ｓ３１４の動作が詳細に説明される。
【００４１】
図３Ｃは、（３ＧＰＰ  ＴＳ２３．２４６を指す）ＭＢＭＳブロードキャストサービスの段階の流れを示す時間系列表である。
【００４２】
サービス告知のステップ３５２。関連するサービスのユーザ情報、（ＩＰマルチキャストアドレスなどの）サービス有効化のためのパラメータ、および（サービス開始の時間など）その他の関連するパラメータを配信する。
【００４３】
セッション開始のステップＳ３５４。その間、ＭＢＭＳデータを送信するために必要なベアラが一連のシグナリング交換を介してネットワーク内で確立され、その間、ベアラを確立するかどうかおよびどのタイプのベアラが確立されるべきかを決定できるようにデータを受信するためにユーザの数をカウントすることが要求され得る、ＢＭ−ＳＣがＭＢＭＳデータを送信する準備を行う手順。
【００４４】
ＭＢＭＳ通知のステップＳ３５６。ＭＢＭＳマルチキャストデータが送信されることをＵＥに通知する。
【００４５】
データ転送のステップＳ３１２。ＭＢＭＳデータをＵＥに送信する。
【００４６】
セッション停止のステップＳ３１４。ＭＢＭＳデータの転送が完了されるとした場合、ＢＭ−ＳＣはネットワーク内でリソースを運ぶサービスを解放するためにセッション停止手順を開始する。
【００４７】
上記の手順の中で、ステップＳ３５２は、ステップＳ３０４のように、ポイントツーポイント方式でＢＭ−ＳＣによって行われることが可能であり、またはブロードキャスト方式もしくはマルチキャスト方式で行われることも可能であり、したがって、ＭＢＭＳ専用キャリアまたは非ＭＢＭＳキャリア上で行われ得る。ステップＳ３５２は本発明と関係がなく、したがって、その詳細な説明は本明細書において省略される。以下の説明において、ステップＳ３５４−Ｓ３６０の動作が詳細に説明される。
【００４８】
本発明において、セッション開始ステップ（Ｓ３０８、Ｓ３５４）、ＭＢＭＳ通知ステップ（Ｓ３１０、Ｓ３５６）、データ転送ステップ（Ｓ３１２、Ｓ３５８）、およびセッション停止ステップ（Ｓ３１４、Ｓ３６０）の手順は、単に「ブロードキャスト」／「マルチキャスト」を「マルチキャスト」／「ブロードキャスト」に置き換えた状態で、ＭＢＭＳブロードキャストサービスおよびマルチキャストサービスに非常に類似する。したがって、以下の説明において、ＭＢＭＳブロードキャストサービスおよびＭＢＭＳマルチキャストサービスは区別されず、全体として「ＭＢＭＳサービス」と呼ばれる。
【００４９】
本発明による専用キャリアシステムにおいて、ＭＢＭＳサービスおよび非ＭＢＭＳサービスは異なるキャリア上で運ばれる。説明の都合上、ＭＢＭＳサービスを運ぶキャリアはＭＢＭＳ専用キャリアと呼ばれ、非ＭＢＭＳサービスを運ぶキャリアは非ＭＢＭＳキャリアと呼ばれる。
【００５０】
ＵＥは非ＭＢＭＳキャリア上にキャンプする。キャンプされたキャリア上で、ＵＥは呼、セル更新／位置領域更新、およびページング受信などの手順を開始することができる。ＭＢＭＳ専用キャリア情報、ＭＢＭＳサービス告知、およびＭＢＭＳサービス通知は非ＭＢＭＳキャリア上で送信される。さらに、ＭＢＭＳチャネル構成、ＭＢＭＳスケジューリング、ならびにＭＢＭＳデータおよび類似の情報はＭＢＭＳ専用キャリア上で送信される。
【００５１】
図４Ａは、本発明によるＭＢＭＳセッション開始の手順を示す時間系列表である。
【００５２】
図４Ａに示されるように、ＭＢＭＳセッション開始の手順は４つのステップを備える。
【００５３】
ステップＳ４０１。ＢＭ−ＳＣとａＧＷの間でＭＢＭＳセッション開始シグナリングを交換する。
【００５４】
ステップＳ４０２。ａＧＷと（１つまたは複数の）ｅＮＢの間でＭＢＭＳセッション開始シグナリングを交換する。ＭＢＭＳセッション開始の要求は、ＭＢＭＳ専用キャリアが属する（１つまたは複数の）ｅＮＢおよび非ＭＢＭＳキャリアが属する（１つまたは複数の）ｅＮＢに送信されるべきであり、（１つまたは複数の）ｅＮＢはすべてこのＭＢＭＳサービスのサービス領域に属す。
【００５５】
ステップＳ４０３。その手順の間、ｅＮＢがエアインターフェース上でカウント要求を（１つまたは複数の）ＵＥに送信し、（１つまたは複数の）ＵＥによって返された（１つまたは複数の）カウント応答を受信して、無線ベアラを確立するかどうかおよびどのタイプの無線ベアラが確立されるべきかを決定する、このＭＢＭＳサービスに関心があるユーザの数をカウントするカウント手順。例えば、カウント結果が０より大きい場合、無線ベアラが確立され、ユーザの数があるしきい値より大きい場合、ＰＴＭ伝送モードのベアラが確立され、カウントを実行する必要があるかどうかは、無線リソース管理戦略に基づいてａＧＷまたはｅＮＢによって決定され、カウントを実行する必要がない場合、ステップＳ４０３は省略される（カウント手順は、以降で図４Ｂを参照して詳細に説明される）。
【００５６】
ステップＳ４０４。ＭＢＭＳサービス向けの無線ベアラを確立する必要がある場合、ＭＢＭＳ専用キャリア上でだけ無線ベアラを確立する。
【００５７】
図４Ｂは、図４Ａに示されるカウント手順Ｓ４０３および無線ベアラ確立手順Ｓ４０４と、図３Ｂならびに３Ｃに示されるＭＢＭＳ通知手順Ｓ３１０、Ｓ３５６およびデータ転送手順Ｓ３１２、Ｓ３５８とを示す。
【００５８】
図４Ｂにおいて、カウント手順Ｓ４０３およびＭＢＭＳ通知手順Ｓ３１０、Ｓ３５６が詳細に例示され、ｅＮＢ１は非ＭＢＭＳキャリアが属するｅＮＢであり、ｅＮＢ２はＭＢＭＳ専用キャリアが属するｅＮＢであり、これらの２つのｅＮＢは同じであってよく、または異なってもよい。
【００５９】
ステップＳ４１１で、非ＭＢＭＳキャリアが属するｅＮＢ１はＭＢＭＳカウント要求メッセージを送信し、このＭＢＭＳサービスに関心がある（１つまたは複数の）ＵＥはＭＢＭＳカウント応答を返す。
【００６０】
ステップＳ４１２で、ｅＮＢ１はカウント結果をｅＮＢ２に引き渡し、カウント結果の引渡しは以下の２つの方式で行われることが可能である：
ａ）ステップＳ４１２’。ｅＮＢ１はＸ２インターフェースを経由してカウント結果をｅＮＢ２に引き渡す。
ｂ）ステップＳ４１２’’。ｅＮＢ１はまずＳ１インターフェースを経由してカウント結果をａＧＷに引き渡し、次いで、ａＧＷはＳ１インターフェースを経由してカウント結果をｅＮＢ２に引き渡す。
【００６１】
ステップＳ４１３で、ｅＮＢ２はベアラを確立するかどうかおよびどのタイプのベアラ（例えば、ＰＴＭ（ポイントツーマルチポイント）ベアラ／ＰＴＰ（ポイントツーポイント）ベアラ）が確立されるべきかを決定するためにカウント結果に基づいて無線ベアラ決定を行う。例えば、カウント結果＝０の場合、無線ベアラを確立する必要はない。カウント結果＞０の場合、無線ベアラを確立する必要がある。カウント結果＞０およびカウント結果＜あるしきい値の場合、ＰＴＰベアラが確立されるべきである。さらに、カウント結果＞０およびカウント結果＞あるしきい値の場合、ＰＴＭベアラが確立されるべきである。上記はカウント結果決定の単なる例であり、要求に応じて決定アルゴリズムが決定され得る。ＰＴＰキャリアを確立する必要がない場合、カウント結果が０より大きい場合だけ、ＰＴＭベアラが確立され得る。
【００６２】
ステップＳ４１４で、確立されるべき無線ベアラのタイプに基づいて、ｅＮＢ２は無線ベアラと対応するリソースとを確立する。
【００６３】
ステップＳ４１５で、ｅＮＢ２はＭＢＭＳ通知および関連するＭＢＭＳ無線ベアラの（チャネル構成およびスケジューリング構成を含む）構成パラメータを送信し、（１つまたは複数の）ＵＥは関連するパラメータに基づいてＭＢＭＳデータを受信する準備を行う。
【００６４】
ステップＳ４１６で、同時に、ｅＮＢ１は、どのキャリア上でＭＢＭＳが送信されることになるかについて（１つまたは複数の）ＵＥに通知するために、関連するＭＢＭＳ無線ベアラの構成パラメータを送信せずにＭＢＭＳ通知を送信する。ｅＮＢ１は、以下の３つの方式でＭＢＭＳ通知を送信する時間を決定することができる：
ａ）ｅＮＢ２は、Ｘ２インターフェースを経由してＭＢＭＳ通知を送信する時間をｅＮＢ１に通知する、
ｂ）ｅＮＢ２は、Ｓ１インターフェースを経由してＭＢＭＳ通知を送信する時間をａＧＷに通知し、次いで、ａＧＷはＳ１インターフェースを経由してＭＢＭＳ通知を送信する時間をｅＮＢ１に転送する、
ｃ）ｅＮＢ１は、セッション開始からＭＢＭＳデータ転送までの間隔に基づいて、所定のタイミングでＭＢＭＳ通知を送信する。
【００６５】
ステップＳ４１７で、ｅＮＢ２はａＧＷからＭＢＭＳデータを受信し、それらのＭＢＭＳデータをＭＢＭＳ専用キャリア上で（１つまたは複数の）ＵＥに送信する。
【００６６】
図４Ｃは、本発明によるＭＢＭＳセッション停止了手順を示す時間系列表である。
【００６７】
図４Ｃに示されるように、ＭＢＭＳセッション停止手順は３つのステップを備える。
【００６８】
ステップＳ４２１。ＢＭ−ＳＣとａＧＷの間でＭＢＭＳセッション停止シグナリングを交換する。
【００６９】
ステップＳ４２２。ａＧＷとｅＮＢの間でＭＢＭＳセッション終了シグナリングを交換する。ＭＢＭＳセッション停止要求は、ＭＢＭＳ専用キャリアが属するｅＮＢ２および非ＭＢＭＳキャリアが属するｅＮＢ１に送信されるべきであり、これらのｅＮＢはこのＭＢＭＳサービスのサービス領域に属する。
【００７０】
ステップＳ４２３。ｅＮＢ２は無線ベアラのリソースを解放し、このＭＢＭＳサービスが停止したことを（１つまたは複数の）ＵＥに通知し、ｅＮＢ１はこのＭＢＭＳサービスが停止したことを（１つまたは複数の）ＵＥに単に通知する。
【００７１】
次に、図５Ａ〜図５Ｄを参照すると、本発明によるＭＢＭＳ専用キャリアをサポートするＵＥの構造および動作が詳細に説明される。
【００７２】
図５Ａおよび図５Ｂは、本発明によるＵＥを示す構造ブロック図である。
【００７３】
図５Ａに示されるように、本発明の実施形態によるＵＥ１０００は、コントローラ１１００と、受信ユニット１２００と、キャリア選択ユニット１４００と、メモリ１５００と、ＭＢＭＳサービスグループ参加処理ユニット１６００とを備える。
【００７４】
受信ユニット１２００は、キャリア選択ユニット１４００の制御の下でＭＢＭＳ専用キャリアと非ＭＢＭＳキャリアの間で切り替え、ＭＢＭＳ専用キャリアおよび非ＭＢＭＳキャリアに関する情報を受信し、その情報をキャリア選択ユニット１４００に引き渡す。
【００７５】
キャリア選択ユニット１４００は、メモリ１５００内に記憶された受信されたＭＢＭＳ通知およびＭＢＭＳサービススケジューリングテンプレートに基づいて、ＭＢＭＳ専用キャリアと非ＭＢＭＳキャリアの間で切り替えるために受信ユニット１２００を制御して、受信ユニット１２００によって受信された様々な情報およびデータをコントローラ１１００に引き渡す。
【００７６】
コントローラ１１００は、非ＭＢＭＳキャリア上で受信ユニット１２００によって受信されたキャリア選択ユニット１４００からのＭＢＭＳサービス告知に基づいて、関心があるＭＢＭＳサービスグループが存在するかどうかを決定する。関心があるＭＢＭＳサービスグループが存在する場合、コントローラ１１００は、ＭＢＭＳサービスグループ参加処理ユニット１６００を用いてＭＢＭＳサービスグループに参加するための制御を実行する。さらに、コントローラ１１００は、ＭＢＭＳ専用キャリア上で受信ユニット１２００によって受信された、キャリア選択ユニット１４００からのＭＢＭＳ  ＲＢ（無線ベアラ）構成情報およびＭＢＭＳサービススケジューリング情報に基づいてＭＢＭＳサービススケジューリングテンプレートを生成して、ＭＢＭＳサービススケジューリングテンプレートをメモリ１５００内に記憶する。
【００７７】
メモリ１５００はＭＢＭＳサービススケジューリングテンプレートを記憶する。
【００７８】
ＭＢＭＳサービスグループ参加処理ユニット１６００は、コントローラ１１００からの命令に従ってＭＢＭＳサービスグループに参加するための動作を実行する。
【００７９】
図５Ｂに示されるように、本発明のもう１つの実施形態によるＵＥ１０００’は、コントローラ１１００と、非ＭＢＭＳキャリア受信ユニット１３１０と、ＭＢＭＳ専用キャリア受信ユニット１３２０と、キャリア選択ユニット１４００と、メモリ１５００と、ＭＢＭＳサービスグループ参加処理ユニット１６００とを備える。この実施形態では、図５Ａに示される受信ユニット１２００の代わりに、非ＭＢＭＳキャリア受信ユニット１３１０およびＭＢＭＳ専用キャリア受信ユニット１３２０が提供される。
【００８０】
非ＭＢＭＳキャリア受信ユニット１３１０およびＭＢＭＳ専用キャリア受信ユニット１３２０は、それぞれ、非ＭＢＭＳキャリア上およびＭＢＭＳ専用キャリア上で情報を受信して、その情報をキャリア選択ユニット１４００に引き渡す。
【００８１】
キャリア選択ユニット１４００は、メモリ１５００内に記憶された受信されたＭＢＭＳ通知およびＭＢＭＳサービススケジューリングテンプレートに基づいて、それぞれ、非ＭＢＭＳキャリア上およびＭＢＭＳ専用キャリア上で非ＭＢＭＳキャリア受信ユニット１３１０およびＭＢＭＳ専用キャリア受信ユニット１３２０によって受信された様々な情報およびデータを選択して、それらの情報およびデータをコントローラ１１００に引き渡す。
【００８２】
コントローラ１１００は、非ＭＢＭＳキャリア上で非ＭＢＭＳキャリア受信ユニット１３１０によって受信された、キャリア選択ユニット１４００からのＭＢＭＳサービス告知に基づいて、関心があるＭＢＭＳサービスグループが存在するかどうかを決定する。関心があるＭＢＭＳサービスグループが存在する場合、コントローラ１１００は、ＭＢＭＳサービスグループ参加処理ユニット１６００を用いてＭＢＭＳサービスグループに参加するための制御を実行する。さらに、コントローラ１１００は、ＭＢＭＳ専用キャリア上でＭＢＭＳ専用キャリア受信ユニット１３２０によって受信された、キャリア選択ユニット１４００からのＭＢＭＳ  ＲＢ（無線ベアラ）構成情報およびＭＢＭＳサービススケジューリング情報に基づいてＭＢＭＳサービススケジューリングテンプレートを生成して、ＭＢＭＳサービススケジューリングテンプレートをメモリ１５００内に記憶する。
【００８３】
メモリ１５００はＭＢＭＳサービススケジューリングテンプレートを記憶する。
【００８４】
ＭＢＭＳサービスグループ参加処理ユニット１６００は、コントローラ１１００からの命令に従ってＭＢＭＳサービスグループに参加するための制御を実行する。
【００８５】
図５Ｃは、本発明によるＵＥの動作を示す流れ図である。
【００８６】
図５Ｃに示されるように、ステップＳ５００で、ＵＥは非ＭＢＭＳキャリア上にキャンプして、非ＭＢＭＳキャリア上のブロードキャストチャネルを介してＭＢＭＳ専用キャリア上で（周波数および帯域などの情報を含む）関連する情報を受信する。次に、ステップＳ５０２で、ＵＥは非ＭＢＭＳキャリア上で受信されたＭＢＭＳサービス告知に基づいて、関心があるＭＢＭＳサービスグループに参加する。さらに、ＵＥがＭＢＭＳカウント要求を受信した場合、ＵＥは、そのＵＥがこのＭＢＭＳサービスに関心があるか否かを表示するＭＢＭＳカウント応答を返す。当然、ｅＮＢは、関心があるＵＥをカウントしないように、ＭＢＭＳカウント要求を送信しない可能性がある。ＭＢＭＳサービスが開始されるとした場合、対応するＭＢＭＳ通知が非ＭＢＭＳキャリア上およびＭＢＭＳ専用キャリア上で送信される。ＵＥが関心があるＭＢＭＳサービスに関するＭＢＭＳ通知を受信した場合（ステップＳ５０４）、ＵＥはＭＢＭＳサービスを受信する準備を行う。ステップＳ５０６で、ＵＥはＭＢＭＳ専用キャリアを選択し、ステップＳ５０８で、ＵＥは、ＭＢＭＳ  ＲＢ構成情報およびＭＢＭＳサービススケジューリング情報に基づいて受信されることになるＭＢＭＳサービスに関するスケジューリングテンプレートを生成するために、ＭＢＭＳ専用キャリア上でＭＢＭＳ  ＲＢ構成情報およびＭＢＭＳサービススケジューリング情報を含むシステム情報を受信する。ステップＳ５１０で、ＵＥは、生成されたＭＢＭＳサービススケジューリングテンプレートに基づいて、ＭＢＭＳデータが送信されるタイミングでＭＢＭＳデータを受信する。ステップＳ５１２で、ＭＢＭＳデータ伝送のギャップにおいて、ＵＥはＭＢＭＳデータの伝送が完了したか否かを決定する。ＭＢＭＳデータの伝送が完了していない場合（ステップＳ５１２における「いいえ」）、ステップＳ５１４で、ＵＥは（ページング受信、位置領域更新など）非ＭＢＭＳサービス関連の動作に対処するために、ＭＢＭＳデータ伝送のギャップにおいてキャンプされた非ＭＢＭＳキャリアに戻り、次いで、ＭＢＭＳデータを受信し続ける（ステップＳ５１０）ために、次にスケジュールされたデータの伝送前にＭＢＭＳ専用キャリアに戻る。他方で、ＭＢＭＳタスクが終了した場合（ステップＳ５１２における「はい」）、ステップＳ５１６で、ＵＥはキャンプされた非ＭＢＭＳキャリアに戻り、ＭＢＭＳ専用キャリア上でデータを受信する必要はもはやない。
【００８７】
デュアル受信機を有するＵＥの場合、１つの受信機（１３２０）は（ＭＢＭＳ専用キャリア上で）ＭＢＭＳサービスを受信し、したがって、ギャップにおいて非ＭＢＭＳキャリアに戻る必要はなく、もう一方の受信機（１３１０）は非ＭＢＭＳキャリア上にキャンプする。そこから受信機が処理されるためにコントローラ１１００に引き渡されるデータを決定するのはキャリア選択ユニット１４００である。
【００８８】
図５Ｄは、ＵＥによるＭＢＭＳ専用キャリアと非ＭＢＭＳキャリアの間の切替えを説明する概略図である。
【００８９】
図５Ｄに示されるように、ＵＥはＭＢＭＳ専用キャリアと非ＭＢＭＳキャリアの間で切り替える。図５Ｃに関して、ステップＳ５００およびＳ５０２は非ＭＢＭＳキャリア上で実行されることが理解できる。ステップＳ５０４は、ＭＢＭＳ専用キャリアおよび非ＭＢＭＳキャリアのうちの１つの上で実行され得る。ステップＳ５０６で、ＵＥはＭＢＭＳ専用キャリアに切り替え、ステップＳ５０８の受信ステップが完了した後で非ＭＢＭＳキャリアに戻る。しかし、ＵＥは非ＭＢＭＳキャリアに戻らず、ＭＢＭＳ専用キャリア上に留まる可能性がある。またはそうでない場合、非ＭＢＭＳキャリアに戻るかもしくはＭＢＭＳ専用キャリア上に留まるかは、生成されたＭＢＭＳサービススケジューリングテンプレート内の情報に基づいて決定される。ステップＳ５１０はＭＢＭＳ専用キャリア上で実行される。ステップＳ５１４は非ＭＢＭＳキャリア上で実行される。ステップＳ５１０−Ｓ５１４は、ＭＢＭＳデータの伝送が完了するまで繰り返される。最終的に、ステップＳ５１６で、ＵＥは非ＭＢＭＳキャリアに戻る。
【００９０】
次に、ＭＢＭＳ専用キャリア上でＭＢＭＳデータを受信する場合、ＵＥによって非ＭＢＭＳサービスを確立する動作に関する詳細な説明が提供される。
【００９１】
図６はＭＢＭＳサービススケジューリングの例を示す。
【００９２】
（１）ＵＥがサービスを始める
（ステップＳ５１０の間）ＭＢＭＳ専用キャリア上でＭＢＭＳデータの受信中に非ＭＢＭＳサービスを確立することが所望される場合、ＵＥはまずサービス優先順位づけを実行する。非ＭＢＭＳサービスがより高い優先順位のものである場合、ＵＥはキャンプされた非ＭＢＭＳキャリアに戻り、非ＭＢＭＳサービスを開始する。非ＭＢＭＳサービスが完了した場合、ＵＥはＭＢＭＳサービスの受信を続ける。ＭＢＭＳサービスがより高い優先順位のものである場合、ＭＢＭＳデータの受信は継続され、非ＭＢＭＳサービスはＭＢＭＳデータの伝送のギャップにおいて対処される（ステップＳ５１４）。
【００９３】
（２）サービスがＵＥで終了する
非ＭＢＭＳサービスがＵＥで終了するとした場合、ｅＮＢはページングによってこれをＵＥに通知することになる。ページング情報が送信される方式に応じて、２つのオプションが存在する。すなわち、ｉ）ＭＢＭＳ専用キャリア上および非ＭＢＭＳキャリア上でページングすること、およびｉｉ）非ＭＢＭＳキャリア上でだけページングすることである。
【００９４】
ｉ）ＭＢＭＳ専用キャリア上および非ＭＢＭＳキャリア上でページングすること
ＭＢＭＳ専用キャリア上でＭＢＭＳサービスを受信しているＵＥは、ページングを受信する場合、サービス優先順位づけを実行することになる。非ＭＢＭＳサービスがより高い優先順位のものである場合、ＵＥはキャンプされた非ＭＢＭＳキャリアに戻り、非ＭＢＭＳキャリア上でページングに応答する。ＭＢＭＳサービスがより高い優先順位のものである場合、ＭＢＭＳデータの受信は継続され、非ＭＢＭＳサービスはＭＢＭＳデータの伝送のギャップにおいて対処される（ステップＳ５１４）。
【００９５】
この方法は、ＵＥはキャンプされた非ＭＢＭＳキャリアに頻繁に戻らないことになり、電力節約になるという利点を有する。
【００９６】
ｉｉ）非ＭＢＭＳキャリア上でだけページングすること
上で説明されたステップＳ５１４によれば、ＵＥはスケジュールリングギャップにおいてページングを受信するために非ＭＢＭＳキャリアに戻る。
【００９７】
この方法は、ページング範囲が削減され、したがって、ページングチャネルに関する容量要件が削減されるという利点を有する。さらに、ＭＢＭＳ専用キャリアの構造が簡素化される。
【００９８】
図７は、本発明による進化型基地局ｅＮＢを示す構造ブロック図である。
【００９９】
図７に示されるように、本発明による進化型基地局ｅＮＢ２０００は、ｅＮＢコントローラ２１００と、送信ユニット２２００と、受信ユニット２３００と、カウント結果生成ユニット２４００と、ＲＢ確立ユニット２５００とを備える。
【０１００】
送信ユニット２２００は、非ＭＢＭＳキャリア上でＭＢＭＳカウント要求を送信すること、非ＭＢＭＳキャリア上でＭＢＭＳデータを送信すること、非ＭＢＭＳキャリア上でＭＢＭＳ通知を送信すること、ＭＢＭＳ専用キャリア上でＭＢＭＳ通知、ＲＢ構成情報およびＭＢＭＳサービススケジューリング情報を送信することなどを含めて、様々な情報およびデータを送信する。
【０１０１】
受信ユニット２３００は様々な情報およびデータを受信して、それらの様々な情報およびデータをｅＮＢコントローラ２１００に引き渡す。さらに、受信ユニット２３００はＵＥからＭＢＭＳカウント応答を受信して、そのＭＢＭＳカウント応答をカウント結果生成ユニット２４００に引き渡す。
【０１０２】
カウント結果生成ユニット２４００は、受信ユニット２３００から引き渡されたＭＢＭＳカウント応答、特に、ＵＥがＭＢＭＳサービスに関心があるかどうかを表示するＭＢＭＳカウント応答内に含まれた情報に基づいてＭＢＭＳカウント結果を生成して、ＭＢＭＳカウント結果をｅＮＢコントローラ２１００に引き渡す。
【０１０３】
ＲＢ確立ユニット２５００は、ｅＮＢコントローラ２１００からの命令に基づいて、無線ベアラＲＢを満たす要件を確立する。
【０１０４】
ｅＮＢコントローラ２１００は、上記のユニットの動作を制御し、カウント結果生成ユニット２４００によって生成されたＭＢＭＳカウント結果に基づいて、ＲＢを確立するかどうかおよびどのタイプのＲＢが確立されるべきかを決定する。ＲＢを確立する必要がある場合、ｅＮＢコントローラ２１００は、対応するＲＢを確立するためにＲＢ確立ユニット２５００を制御し、非ＭＢＭＳキャリア上でＭＢＭＳ通知を送信し、同時に、ＭＢＭＳ専用キャリア上でＭＢＭＳ通知、ＲＢ構成情報およびＭＢＭＳサービススケジューリング情報を送信するために送信ユニット２２００を制御する。次いで、ｅＮＢコントローラ２１００は、ＭＢＭＳサービススケジューリング情報に基づいて、ＭＢＭＳ専用キャリア上でＭＢＭＳデータを送信するために送信ユニット２２００を制御する。
【０１０５】
本発明では、図４Ｂに示されるように、ＭＢＭＳカウント結果を生成する基地局（ｅＮＢ１）は、ＲＢを確立する基地局（ｅＮＢ２）と異なる場合がある。したがって、上記の動作において、第１の基地局の送信ユニットは、Ｘ２インターフェースを経由して、生成されたＭＢＭＳカウント結果をＲＢを確立する責任を有する第２の基地局に直接引き渡すことができる。第２の基地局のｅＮＢコントローラは、Ｘ２インターフェースを経由して、その受信ユニットによって受信されたＭＢＭＳカウント結果に基づいて後続の動作を実行する。またはそうでない場合、第１の基地局の送信ユニットは、Ｓ１インターフェースを経由して、生成されたＭＢＭＳカウント結果をアクセスゲートウェイに引き渡すことができ、次いで、アクセスゲートウェイは、Ｓ１インターフェースを経由して、その生成されたＭＢＭＳカウント結果を第２の基地局に引き渡す。後者の場合、第１の基地局は非ＭＢＭＳキャリア上でだけ動作することが可能であり、第２の基地局はＭＢＭＳ専用キャリア上でだけ動作することが可能である。
【０１０６】
図８は、本発明による進化型基地局ｅＮＢによるカウントおよびＲＢ確立の動作を示す流れ図である。
【０１０７】
ステップＳ８００で、ｅＮＢは非ＭＢＭＳキャリア上でＭＢＭＳカウント要求を送信する。ＭＢＭＳカウント要求を受信した後で、ＵＥは、そのＵＥがＭＢＭＳサービスに関心があるかどうかを表示するＭＢＭＳカウント応答を送信する。ステップＳ８０２で、ｅＮＢはＭＢＭＳカウント応答を受信し、ステップＳ８０４で、ＭＢＭＳカウント応答に基づいてＭＢＭＳカウント結果を生成する。次いで、ステップＳ８０６で、ｅＮＢは、ＭＢＭＳカウント結果に基づいて、ＲＢを確立するかどうかおよびどのタイプのＲＢが確立されるべきかを決定する。ＲＢを確立することが決定された場合（ステップＳ８０６における「はい」）、ｅＮＢはステップＳ８１０で対応するＲＢを確立し、ｅＮＢが非ＭＢＭＳキャリア上でＭＢＭＳ通知を送信し、同時に、ＭＢＭＳ専用キャリア上でＭＢＭＳ通知、ＲＢ構成情報およびＭＢＭＳサービススケジューリング情報を送信するＳ８１２を実行する。その後、ステップＳ８１４で、ｅＮＢはＭＢＭＳサービススケジューリング情報に基づいてＭＢＭＳ専用キャリア上でＭＢＭＳデータを送信する。
【０１０８】
ＲＢを確立しないことが決定された場合（ステップＳ８０６における「いいえ」）、プロセスはステップＳ８０８で終了する。
【０１０９】
本発明において、非ＭＢＭＳキャリアは、ＷＣＤＭＡ／ＧＳＭなど、その他の無線アクセスシステムであってもよい。図９に示されるように、ＷＣＤＭＡ／ＧＳＭの無線アクセスネットワーク（ＵＴＲＡＮ／ＧＥＲＡＮ）はＳＧＳＮ（サービスＧＰＲＳサポートノード）を介してａＧＷに接続される。かかるネットワークアーキテクチャにおいて、本発明は、非ＭＢＭＳキャリアのためのカウント手順など、２つのキャリア間の相互作用手順を必要とせずに、上記の解決策にいくつかのわずかな修正だけを伴って、やはり応用される。
【０１１０】
本発明により、ＭＢＭＳ専用キャリアは、リソースが豊富で、広い受信可能範囲を有する非対のキャリアを導入することが可能である。さらに、このシステムは簡単で、マルチメディアブロードキャストネットワークを個々に構成することが可能である。さらに、非ＭＢＭＳサービスへの影響は少ない。
【０１１１】
上記の実施形態は、本発明の限定ではなく、例示のためだけに提供される点に留意されたい。本発明は上記の実施形態を参照して詳細に説明されるが、当業者は本発明に対する修正形態または均等物が作成され得る点を理解されたい。本発明の精神および範囲からの逸脱を伴わない任意の修正形態または部分的な置換えは、特許請求の範囲によって定義される範囲に該当する。
【図１Ａ】
2010502054.tif 000003
【図１Ｂ】
2010502054.tif 000004
【図２Ａ】
2010502054.tif 000005
【図２Ｂ】
2010502054.tif 000006
【図３Ａ】
2010502054.tif 000007
【図３Ｂ】
2010502054.tif 000008
【図３Ｃ】
2010502054.tif 000009
【図４Ａ】
2010502054.tif 000010
【図４Ｂ】
2010502054.tif 000011
【図４Ｃ】
2010502054.tif 000012
【図５Ａ】
2010502054.tif 000013
【図５Ｂ】
2010502054.tif 000014
【図５Ｃ】
2010502054.tif 000015
【図５Ｄ】
2010502054.tif 000016
【図６】
2010502054.tif 000017
【図７】
2010502054.tif 000018
【図８】
2010502054.tif 000019
【図９】
2010502054.tif 000020
【国際調査報告】
2010502054.tif 000021
2010502054.tif 000022
2010502054.tif 000023
2010502054.tif 000024
2010502054.tif 000025
2010502054.tif 000026
2010502054.tif 000027
2010502054.tif 000028